(57)【要約】【課題】生カードの向きを確実に示すことができて、その痕跡を残さずに除去でき、しかも、この除去に当たってカードを損傷するおそれのない前記カードを提供すること。【解決手段】表裏のシートの間に端部が着色されたシート材料を挟み、この着色端部をカードの側縁面に露出させると共に、この露出部位を平面視でカードの中央から偏った位置に位置させる。この着色は加熱により消色する可逆性着色剤から構成されており、生カードの向きを確認した後加熱して消色させてその痕跡を除去することができる。【選択図】図１
2011002877.tif 000002
【特許請求の範囲】
【請求項１】
２枚以上のシートを互いに貼り合わせて構成されるカードにおいて、
表面にならない位置であって、カードの側縁面に露出し且つ平面視でカードの中央から偏った位置が着色されていると共に、
この着色が、加熱により消色する着色剤から構成されていることを特徴とするカード。
【請求項２】
前記露出部位が１箇所又は平面視で非対称の複数の位置であることを特徴とする請求項１に記載のカード。
【請求項３】
カードの表裏を構成するシートの間にテープ状シート材料を有し、このテープ状シート材料の端部が着色されていることを特徴とする請求項１又は２に記載のカード。
【請求項４】
平面視でカードの中央から偏った位置に、電気的又は磁気的記録材料を備えることを特徴とする請求項１〜３のいずれかに記載のカード。
【請求項５】
前記着色が可逆性着色剤によることを特徴とする請求項１〜４のいずれかに記載のカード。
【請求項６】
２枚以上のシートを互いに貼り合わせて構成されるカードに印刷などの加工を施す方法であって、
前記カードが表裏のシートを互いに貼り合わせて構成されるカードであり、
前記カードが、その表面にならない位置であって、カードの側縁面に露出し且つ平面視でカードの中央から偏った位置が着色されていると共に、
この着色が、加熱により消色する着色剤から構成されており、
この露出した着色端部の位置を検査することによりカードの向きを確認して、次に、前記加工を施すことを特徴とするカードの加工方法。
【請求項７】
表裏のシートを互いに貼り合わせて構成されるカードに印刷などの加工を施す方法であって、
前記カードが、その表面にならない位置であって、カードの側縁面に露出し且つ平面視でカードの中央から偏った位置が着色されていると共に、
この着色が、加熱により発消色する可逆性着色剤から構成されており、
カードを加熱して前記可逆性着色剤を発色させ、この露出した着色端部の位置を検査することによりカードの向きを確認して、次に、前記加工を施すことを特徴とするカードの加工方法。
【請求項８】
前記着色の痕跡を除去する方法に関するもので、カードに加工を施した後、加熱して前記着色剤を消色させることを特徴とする請求項６又は７に記載の加工方法。
【発明の詳細な説明】
【技術分野】
【０００１】
本発明は、２枚以上のシートを互いに貼り合わせて構成されるカードとその加工方法に関するものである。本発明は、例えば、間にインレットを挟んで表裏のシートを貼り合わせて構成される非接触型のＩＣカードに適用できる。
【背景技術】
【０００２】
例えば、非接触型のＩＣカードは図６に示すような工程を経て製造される。すなわち、図６において、まず、上から順に、表面シート、表側コアシート、ＩＣチップ及びアンテナを搭載したインレット、裏側コアシート、及び裏面シートを重ねる。インレットは、電気絶縁性の基材シート上に銅やアルミニウムで構成したアンテナコイルが設けられ、かつ、このアンテナコイルに電気的に接続したＩＣチップを備えるものである。表側コアシートには、このＩＣチップを収納する開口部が設けられている。そして、これらを一体に接着して非接触型ＩＣカードを製造する。一般にＩＣチップはカード中央を避けて偏った位置に配置されており、片寄った位置に配置することにより、カードを折り曲げたときにその応力による破損を防いでいる。
【０００３】
ところで、こうして製造されたＩＣカードは、まだアプリケーションソフトも記録されておらず、また、その表面に印刷も施されていない生（なま）カードである。そこで、次に、集積された生カードを１枚ずつ取り出し、アプリケーションソフトや個別データを記録し、また、印刷を施してアプリケーションカードとして発行する。
【０００４】
ところで、前記生カードには表面に印刷が施されていないから、その外観から表裏を区別することができない。また、同様に、その左右、あるいは天地（上下）も区別することができなかった。
【０００５】
そこで、これら生カードの端部に、しかも、偏った位置に切りかけを設けて、その向きを区別する方法が知られている。また、この他、その一部をエンボスして、このエンボスによってカードの向きを区別する方法もある。また、一部に印刷を施してその向きを示す方法もある。しかし、これらの方法によれば、いずれも、発行後のカードにもその痕跡が残るという可能性がある。
【０００６】
そこで、特許文献１は、蛍光塗料を使用して前記表面シート又は裏面シートにマークを施し、発行時などに向きを検知した後、そのマークを除去する方法が提案されている。除去の方法としては、例えば、このマークを削り取ったり、あるいは溶剤で拭き取ったりする方法がある。
【先行技術文献】
【特許文献】
【０００７】
【特許文献１】特開２００２−９６５８７号公報
【発明の概要】
【発明が解決しようとする課題】
【０００８】
しかしながら、前記特許文献１の方法によれば、マークを除去するためにその工程が増加するだけでなく、マークを削り取ったり、あるいは溶剤で拭き取ったりするため、カード表面を損傷しやすいという問題があった。
【０００９】
そこで、本発明は、前述のような生カードの向きを確実に示すことができて、その痕跡
を残さずに除去でき、しかも、この除去に当たってカードを損傷するおそれのない前記カードを提供することを目的とする。
【課題を解決するための手段】
【００１０】
すなわち、請求項１に記載の発明は、２枚以上のシートを互いに貼り合わせて構成されるカードにおいて、
表面にならない位置であって、カードの側縁面に露出し且つ平面視でカードの中央から偏った位置が着色されていると共に、
この着色が、加熱により消色する着色剤から構成されていることを特徴とするカードである。
【００１１】
この発明によれば、表面にならない位置であって、カードの側縁面に露出した端部が着色されており、しかも、この着色端部が、平面視でカードの中央から偏ったカード側縁面に露出しているから、この着色によってその向きを確認することができる。
【００１２】
また、カードの向きを確認した後加熱することにより消色するから、その痕跡を残すことがない。また、加熱によって消色することができ、物理的に削り取ったり、あるいは溶剤を使用したりすることがないから、カード表面を損傷するおそれもない。
【００１３】
次に、請求項２に記載の発明は、前記露出部位が１箇所又は平面視で非対称の複数の位置であることを特徴とする請求項１に記載のカードである。この発明によれば、カードの表裏が逆の場合、あるいは前後や左右が逆の場合、露出した着色端部が正規の位置と一致することがないから、カードの表裏、左右前後を誤ることなく確認することができる。
【００１４】
次に、請求項３に記載の発明は、カードの表裏を構成するシートの間にテープ状シート材料を有し、このテープ状シート材料の端部が着色されていることを特徴とする請求項１又は２に記載のカードである。この発明によれば、例えば、表裏のシート及びテープ状シート材料としてそれぞれ長尺の材料を準備し、次に、テープ状シート材料の所定の位置を着色し、このテープ状シート材料を挟んで表裏のシートを貼り合わせることにより、連続的にカードを製造することができる。
【００１５】
また、請求項４に記載の発明は、平面視でカードの中央から偏った位置に、電気的又は磁気的記録材料を備えることを特徴とする請求項１〜３のいずれかに記載のカードである。この発明によれば、これら記録材料と露出した着色端部との位置合わせが可能となり、このため、これら記録材料と印刷などの向きとを誤ることなく位置合わせすることができる。
【００１６】
また、請求項５に係る発明は、前記着色を限定したもので、すなわち、前記着色が可逆性着色剤によることを特徴とする請求項１〜４のいずれかに記載のカードである。この可逆性着色剤の材質は公知であるが、その具体例については後述する。
【００１７】
次に、請求項６〜８に記載の発明は、これら請求項１〜５に係るカードに対して印刷などの後加工を施す方法に関するものである。
【００１８】
すなわち、請求項６に記載の発明は、２枚以上のシートを互いに貼り合わせて構成されるカードに印刷などの加工を施す方法であって、
前記カードが表裏のシートを互いに貼り合わせて構成されるカードであり、
前記カードが、その表面にならない位置であって、カードの側縁面に露出し且つ平面視でカードの中央から偏った位置が着色されていると共に、
この着色が、加熱により消色する着色剤から構成されており、
この露出した着色端部の位置を検査することによりカードの向きを確認して、次に、前記加工を施すことを特徴とするカードの加工方法である。
【００１９】
この発明は、露出した前記着色端部の位置を確認することの外にカードの向きを確認することが困難である場合に適するものである。カードに印刷が施された後には、カードの向きを確認することは一般に容易であるから、印刷工程の前、あるいは、印刷を含む一連の工程で施される加工に適している。このような加工としては、例えば、印刷の外、カードを走行させながら、印刷、磁気的記録又は電気的記録、エンボスなどの加工を連続的に施す場合におけるこれら加工が例示できる。
【００２０】
また、請求項７に記載の発明は、表裏のシートを互いに貼り合わせて構成されるカードに印刷などの加工を施す方法であって、
前記カードが、その表面にならない位置であって、カードの側縁面に露出し且つ平面視でカードの中央から偏った位置が着色されていると共に、
この着色が、加熱により発消色する可逆性着色剤から構成されており、
カードを加熱して前記可逆性着色剤を発色させ、この露出した着色端部の位置を検査することによりカードの向きを確認して、次に、前記加工を施すことを特徴とするカードの加工方法である。
【００２１】
また、請求項８に記載の発明は、前記着色の痕跡を除去する方法に関するもので、カードに加工を施した後、加熱して前記着色剤を消色させることを特徴とする請求項６又は７に記載の加工方法である。
【発明の効果】
【００２２】
以上のように、本発明によれば、生カードの向きを確実に示すことができると共に、その痕跡を除去でき、しかも、この除去に当たってカードを損傷するおそれもないという効果を奏する。
【図面の簡単な説明】
【００２３】
【図１】本発明の実施例に係る断面説明図
【図２】本発明の実施例に係る斜視図
【図３】本発明の第２の実施例に係る断面説明図
【図４】本発明の第３の実施例に係る断面説明図
【図５】本発明の第３の実施例に係る平面説明図
【図６】従来例に係る断面説明図
【発明を実施するための形態】
【００２４】
本発明のカードは、少なくとも２枚のシートを必須の構成要素として、これらを貼り合わせて構成されるものである。この他、これら２枚のシートの間に第３のシートを備えるものであってもよい。
【００２５】
このカードの内部、すなわち、カードの両表面を構成しない内部は、加熱により消色する着色剤によってその端部が着色されている。この着色部は、前記２枚のシートの内面側、すなわち、張り合わされる面であってもよい。また、これら２枚のシートの間に介在する第３のシートの端部であってもよい。
【００２６】
端部を着色するシートとしては任意のものが使用できる。例えば、非接触型ＩＣカードの場合には、表面シート、表側コアシート、インレット、裏側コアシート、及び裏面シート等の端部を着色することができる。また、これらとは別に端部を着色したシート材料を準備し、このシート材料を、コアシートとインレットに加えて、表面シートと裏面シート
との間に配置することもできる。この場合には、シート材料としてテープ状の細長いシート材料を準備することが望ましい。
【００２７】
次に、前記着色端部は、カードの側縁面に露出している必要があり、かつ、平面視でカードの中央から偏った位置に露出している必要がある。仮に、カードの側縁面の全周に露出している場合、この露出部位を手がかりとしてカードの表裏や前後を識別することができない。また、平面視でカードの中央に露出している場合にも、その前後を識別することは困難である。
【００２８】
このため、この露出部位は、通常、１箇所である。ただし、複数の位置に露出していても、これら複数の位置が平面視で非対称の位置である場合には、カードの表裏や前後を識別することが可能である。
【００２９】
図面の図１は、裏面側に配置されたコアシートに可逆性着色層を施した非接触型ＩＣカードの例で、説明の便宜のため、各シートを分離して図示している。この例では、上から順に、それぞれ、表面シート、表側コアシート、インレット、裏側コアシート及び裏面シートが積層されており、これらを一体に接着してＩＣカードとすることができる。そして、裏側コアシートには、そのインレット側表面の端部に可逆性着色層が施されている。こうして得られたＩＣカードの斜視図は図２に示されている。すなわち、このＩＣカードの表面シートには印刷が施されておらず、裏面シートにも施されていない。そして、その側縁面の一部に、前記可逆性着色層が露出している。その露出部位は、ＩＣカードの長辺の一部であり、平面視で、カードの中央を避けて偏った位置である。
【００３０】
これら各シートの材質は公知のものをそのまま使用することができるが、例を挙げると、表面シート及び裏面シートとしては、例えば、２軸延伸ポリエチレンテレフタレートが使用できる。また、表側コアシートとしては、例えば、硬質塩化ビニル（ＰＶＣ）シートなどの電気絶縁性シートが使用できる。また、表側コアシートとして、非結晶性ポリエステル（例えば、イーストマン・ケミカル社製のＥａｓｔｓｒ  ＰＥＴ−Ｇ：テレフタル酸、グリコール、１，４シクロヘキサンジメタノール共重合体）を使用することも可能である。なお、表側コアシートには、インレットに搭載されたＩＣチップを収納する開口部を設ける必要がある。この開口部は、図示のように表側コアシートを貫通する孔で構成してもよいし、表側コアシートに凹部を設けてこの凹部を開口部としてもよい。また、インレットは電気絶縁性のシート基材上に、ＩＣチップと、このＩＣチップを封止するとともにＩＣチップの物理的強度を改善するための補強板と、アンテナコイルと、これらＩＣチップとアンテナコイルとを電気的に接続する回路とを設けて構成されるもので、シート基材としては、ポリエチレンテレフタレート、ポリエチレンナフタレート、ポリイミドなどのフィルムが使用できる。
【００３１】
次に、図面の図３は、インレットに可逆性着色層を施した非接触型ＩＣカードの例で、その外は図１に示す例と同様である。この例では、インレットを構成するシート基材の裏側コアシート側の端部に可逆性着色層が施されている。そして、その側縁面の一部に、前記可逆性着色層が露出している。その露出部位は、図１に示す例と同様に、ＩＣカードの長辺の一部であり、平面視で、カードの中央を避けて偏った位置である。なお、このＩＣカードを製造する場合には、前記シート基材に可逆性着色層を印刷し、この後、ＩＣチップを搭載することが望ましい。
【００３２】
また、図面の図４は、表面シート、表側コアシート、インレット、裏側コアシート及び裏面シートとは別に、テープ状のシート材料を準備し、その端部に可逆性着色層を施して、このテープ状シート材料をインレットと裏側コアシートとの間に介在させたものである。そして、その平面説明図を図５に示す。図５は、テープ状シート材料、すなわち、テープの配置状況を示すため、カード内部のテープを図示している。この図５から分かるように、テープはカードの短辺方向に平行に、しかも、カードの中央を避けて偏った位置に配置されている。そして、その側縁面の一部に、前記可逆性着色層が露出している。その露出部位は、図１に示す例と同様に、ＩＣカードの長辺の一部であり、平面視で、カードの中央を避けて偏った位置である。
【００３３】
次に、前記可逆性着色層について説明する。この可逆性着色層は加熱により消色してその痕跡が消えるものであればよいが、この加熱条件の制御により発色と消色とを繰り返すものが望ましい。この場合には、消色状態の生カードがあったとしても、この生カードを加熱発色させてその向きを確認することができる。
【００３４】
このような発色と消色とを繰り返す着色剤としては、ロイコ染料と、加熱条件の制御に応じてこのロイコ染料を発色させ、あるいは消色させる薬剤とを主成分とする可逆性着色剤とが使用できる。このロイコ系可逆性着色剤の性質は、一般に、次のように説明されている。すなわち、比較的高温に加熱すると発色し、これを常温に冷却してもその発色状態を維持する。また、前記発色温度より低い温度に加熱すると消色し、これを常温に冷却してもその消色状態を維持する。また、このロイコ系可逆性着色剤は、次のように説明されることもある。すなわち、加熱すると発色し、これを急冷すると、その発色状態を維持する。また、加熱後、徐冷すると消色してその消色状態を維持する。いずれにしても、比較的高温に加熱すると発色し、これを常温に急冷すると、その発色状態を維持する。また、前記発色温度より低い温度に加熱し、これを徐冷すると消色してその消色状態を維持する。そして、このため、常温下で発色状態と消色状態のいずれの状態も、安定して維持できるのである。
【００３５】
ロイコ染料としては任意のものが使用できる。例えば、ロイコオーラミン類、ジアリールフタリド類、ポリアリールカルビノール類、アシルオーラミン類、アリールオーラミン類、ローダミンＢラクタム類、インドリン類、スピロピラン類、フルオラン類などである。具体的には、クリスタルバイオレットラクトン、マラカイトグリ−ンラクトン、２−アニリノ−６−（Ｎ−シクロヘキシル−Ｎ−メチルアミノ）−３−メチルフルオラン、２−アニリノ−３−メチル−（Ｎ−メチル−Ｎ−プロピルアミノ）フルオラン、３−［４−（４−フェニルアミノフェニル）アミノフェニル］アミノ−６−メチル−７−クロロフラン、２−アニリノ−６−（Ｎ−メチル−Ｎ−イソブチルアミノ）−３−メチルフルオラン、２−アニリノ−６−（ジブチルアミノ）−３−メチルフルオラン、３−クロロ−６−（シクロヘキシルアミノ）フルオラン、２−クロロ−６−（ジエチルアミノ）フルオラン、７−（Ｎ，Ｎ−ジベンジルアミノ）−３−（Ｎ，Ｎ−エチルアミノ）フルオラン、３，６−ビス（ジエチルアミノ）フルオラン−γ−（４’−ニトロ）アニリノラクタム、３−ジエチルアミノベンゾ［ａ］−フルオラン、３−ジエチルアミノ−６−メチル−７−アミノフルオラン、３−ジエチルアミノ−７−キシリノフルオラン、３−（４−ジエチルアミノ−２−エソキシフェニル）−３−（１−エチル−２−メチルインドール−３−イル）−４−アザフタリド、３−（４−ジエチルアミノフェニル）−３−（１−エチル−２−メチルインドールー３−イル）フタリド、３−ジエチルアミノ−７−クロロアニリノフルオラン、３−ジエチルアミノ−７，８−ベンゾフルオラン、３，３−ビス（１−ｎ−ブチル−２−メチルインドール−３−イル）フタリド、３，６−ジメチルエソキシフルオラン、３−ジエチルアミノ−６−メトキシ−７−アミノフルオラン、ＤＥＰＭ、ＡＴＰ、ＥＴＡＣ、２−（２−クロロアニリノ）−６−ジブチルアミノフルオラン、クリスタルバイオレットカルビノール、マラカイトグリーンカルビノール、Ｎ−（２，３−ジクロロフェニル）ロイコオーラミン、Ｎ−ベンゾイルオーラミン、ローダミンＢラクタム、Ｎ−アセチルオーラミン、Ｎ−フェニルオーラミン、２−（フェニルイミノエタンジリデン）−３，３−ジメチルインドリン、ｎ−３，３−トリメチルインドリノベンゾスピロピラン、８’−メトキシ−Ｎ−３，３−トリメチルインドリノベンゾスピロピラン、３−ジエチルアミノ−６−メチル−７−クロロフルオラン、３−ジエチルアミノ−７−メトキシフルオラン、３−ジエチルアミノ−６−ベンジルオキシフルオラン、１，２−ベンツ−６−ジエチルアミノフルオラン、３，６−ジ−ｐ−トルイジノ−４，５−ジメチルフルオラン、フェニルヒドラジド−γ−ラクタム、３−アミノ−５−メチルフルオランなどが例示できる。
【００３６】
また、このロイコ系可逆性着色剤に利用する前記薬剤としては、化１に示す化学構造を有する化合物が使用できる。
【００３７】
【化１】
2011002877.tif 000003
（式中、Ｘはフェノール性水酸基あるいはカルボキシル基を表わし、Ｒは水素原子あるいは水酸基を表わす）
例えば、化２に示す化学構造を有する化合物あるいは化３に示す化学構造を有する化合物である。
【００３８】
【化２】
2011002877.tif 000004
（式中、Ｘはフェノール性水酸基あるいはカルボキシル基を表わす）
【００３９】
【化３】
2011002877.tif 000005
前記化２で表されるアミノフェノールあるいはアミノ安息香酸としては、具体的には２−アミノフェノール、３−アミノフェノール、４−アミノフェノール等のアミノフェノール、２−アミノ安息香酸、３−アミノ安息香酸、４−アミノ安息香酸等のアミノ安息香酸をあげることができる。
【００４０】
前記化３で表されるヒドロキシアミノ安息香酸としては、例えば２−ヒドロキシ−３−アミノ安息香酸、２−アミノ−３−ヒドロキシ安息香酸、２−アミノ−４−ヒドロキシ安息香酸、２−ヒドロキシ−４−アミノ安息香酸、２−ヒドロキシ−６−アミノ安息香酸、３−アミノ−４−ヒドロキシ安息香酸、３−ヒドロキシ−５−アミノ安息香酸等をあげることができる。
【００４１】
また、前記薬剤として、化４に示す化学構造を有する化合物あるいは化５に示す化学構造を有する化合物と、アミンとの化合物を挙げることができる。
【００４２】
【化４】
2011002877.tif 000006
（式中、ｎは１〜３の整数を表わす）
【００４３】
【化５】
2011002877.tif 000007
（式中、R1は水素原子又はメチル基を表わし、n1は０〜６の整数を表わす）
前記化４で表わされる化合物としては具体的には、以下のようなものが挙げられる。
【００４４】
ｎ＝１；２−ヒドロキシ安息香酸、３−ヒドロキシ安息香酸、４−ヒドロキシ安息香酸等。
【００４５】
ｎ＝２；３，４−ジヒドロキシ安息香酸、３，５−ジヒドロキシ安息香酸、２，３−ジヒドロキシ安息香酸、２，４−ジヒドロキシ安息香酸、２，５−ジヒドロキシ安息香酸、２，６−ジヒドロキシ安息香酸、３，６−ジヒドロキシ安息香酸、４，５−ジヒドロキシ安息香酸、４，６−ジヒドロキシ安息香酸、４−ヒドロキシサリチル酸、５−ヒドロキシサリチル酸等。
【００４６】
ｎ＝３；没食子酸等。
【００４７】
前記化５で表わされる化合物としては具体的には、以下のようなものが挙げられる。
【００４８】
２，２−ビス（４−ヒドロキシフェニル）エタン酸、２，２−ビス（４−ヒドロキシフェニル）プロピオン酸、３，３−ビス（４−ヒドロキシフェニル）プロピオン酸、４，４−ビス（４−ヒドロキシフェニル）ブタン酸、４，４−ビス（４−ヒドロキシフェニル）ヘプタン酸、５，５−ビス（４−ヒドロキシフェニル）ペンタン酸、５，５−ビス（４−ヒドロキシフェニル）ヘキサン酸、６，６−ビス（４−ヒドロキシフェニル）ヘプタン酸、７，７−ビス（４−ヒドロキシフェニル）ヘプタン酸、８，８−ビス（４−ヒドロキシフェニル）オクタン酸、７，７−ビス（４−ヒドロキシフェニル）オクタン酸、８，８−ビス（４−ヒドロキシフェニル）ノナン酸。
【００４９】
次に、化４に示す化学構造を有する化合物あるいは化５に示す化学構造を有する化合物と反応するアミンとしては、Ｒ２ＮＨ２（但し、Ｒ２は炭素原子数８個以上のアルキル基を表わす）あるいは化６に示す化学構造を有する化合物が例示できる。
【００５０】
【化６】
2011002877.tif 000008
（式中、Ｒ３は水素原子、アルキル基、ハロゲン原子又はアルコキシ基を表わし、ｎ２は１〜１８の整数を表わす）
前記Ｒ２ＮＨ２で表わされるアミンとしては、具体的にはオクチルアミン、ノニルアミン、デシルアミン、ウンデシルアミン、ラウリルアミン、トリデシルアミン、テトラデシルアミン、ペンタデシルアミン、ヘプタデシルアミン、セチルアミン、ステアリルアミン、ヘキシルアミン、ヘプチルアミン等が挙げられる。また、化６で表わされるアミンとしては、具体的にはベンジルアミン、２−フェニルエチルアミン、３−フェニルプロピルアミン、４−フェニルブチルアミン、５−フェニルペンチルアミン、６−フェニルヘキシルアミン、７−フェニルヘプチルアミン、８−フェニルオクチルアミン、９−フェニルノニルアミン、１０−フェニルデシルアミン、１１−フェニルウンデシルアミン、１２−フェニルドデシルアミン、１３−フェニルトリデシルアミン、１４−フェニルテトラデシルアミン、１５−フェニルペンタデシルアミン、１６−フェニルヘキサデシルアミン、１７−フェニルヘプタデシルアミン、１８−フェニルオクタデシルアミン、メチルベンジルアミン、２−トリエチルアミン、３−トリルプロピルアミン、４−トリルブチルアミン、５−トリルペンチルアミン、６−トリルヘキシルアミン、７−トリルヘプチルアミン、８−トリルオクチルアミン、９−トリルノニルアミン、１０−トリルデシルアミン、１１−トリルウンデシルアミン、１２−トリルドデシルアミン、１３−トリルトリデシルアミン、１４−トリルテトラデシルアミン、１５−トリルペンタデシルアミン、１６−トリルヘキサデシルアミン、１７−トリルヘプタデシルアミン、１８−トリルオクタデシルアミン、クロロベンジルアミン、２−クロロフェニルエチルアミン、ブロモベンジルアミン、２−ブロモフェニルエチルアミン、メトキシベンジルアミン、エトキシベンジルアミン等が挙げられる。
【００５１】
本発明において、前記薬剤としては、化７に示す化学構造を有するジヒドロキシ安息香酸と炭素原子数８以上のアルキル基を有する高級脂肪族アミンとの化合物、化８に示す化学構造を有する没食子酸高級脂肪族アミンとの化合物、化９に示す化学構造を有するヒドロキシ安息香酸、又はジヒドロキシ安息香酸との化合物、化１０に示す化学構造を有する没食子酸と脂肪族アミンとの化合物、化１１に示す化学構造を有するビス（ヒドロキシフェニル）酢酸、またはビス（ヒドロキシフェニル）酪酸と高級脂肪族アミンとの化合物、化１２に示す化学構造を有する２個のヒドロキシフェニル基を有する脂肪族カルボン酸と脂肪族アミンとの化合物、化１３に示す化学構造を有する没食子酸エステルと高級脂肪族アミンとの化合物が挙げられる。
【００５２】
【化７】
2011002877.tif 000009
（式中、Ｒ４は炭素原子数８以上のアルキル基を表わす）
【００５３】
【化８】
2011002877.tif 000010
（式中、Ｒ５は炭素原子数８以上のアルキル基を表わす）
【００５４】
【化９】
2011002877.tif 000011
（式中、Ｒ６は水素原子、アルキル基、ハロゲン原子、又はアルコキシ基、ｎ２は１又は２、ｎ３は１から１８の整数を表わす）
【００５５】
【化１０】
2011002877.tif 000012
（式中、Ｒ７は水素原子、アルキル基、ハロゲン原子又はアルコキシ基、ｎ４は１から１８の整数を表わす）
【００５６】
【化１１】
2011002877.tif 000013
（式中、Ｒ８は水素原子またはメチル基、Ｒ９は炭素原子数８以上のアルキル基を表わす）
【００５７】
【化１２】
2011002877.tif 000014
（式中、Ｒ１０は水素原子またはメチル基、Ｒ１１は水素原子、アルキル基、ハロゲン原子又はアルコキシ基、ｎ５は０〜６の整数、ｎ６は１〜１８の整数を表わす）
【００５８】
【化１３】
2011002877.tif 000015
（但し、Ｒ１２及びＲ１３はそれぞれ炭素原子数８以上のアルキル基を表わす）
また、前記薬剤として、化１４〜化１７に示す化学構造を有する化合物を使用することも可能である。
【００５９】
【化１４】
2011002877.tif 000016
【００６０】
【化１５】
2011002877.tif 000017
【００６１】
【化１６】
2011002877.tif 000018
【００６２】
【化１７】
2011002877.tif 000019
これらロイコ染料と薬剤とは、適当なバインダと共に溶剤に溶解または分散して前記シート材料に印刷することができる。
【００６３】
次に、本発明に係るカードの加工方法について説明する。
【００６４】
前述のように、本発明に係るカードは、その側縁面の一部に可逆性着色層が露出している。このため、本発明に係るカードを多数枚重ねて集積した状態にあっても、その側面を肉眼で見るだけで、１枚ごとにカードの向きを確認することが可能である。なお、この可逆的着色層は、このカードを構成する前記各シートを熱圧して積層する際の熱によって発色させることができる。この熱によって発色しない場合、あるいは、熱をかけることなく積層する場合、例えば接着剤によって積層する場合には、その後加熱することによって発色させることができる。なお、カードの向きを確認する直前に、カードを集積した状態で一括して加熱して発色させることが望ましい。こうして一括して発色させることにより、確認の洩れを防ぐことが可能となる。
【００６５】
そして、カードの向きを確認した後、所定の向きに揃えて加工装置に投入することにより、これらカードを加工することができる。例えば、カード表面の印刷やエンボスである
。また、カードがＩＣカードの場合には、このＩＣチップに電気的に記録することができ、磁気カードの場合には磁気的に記録することができる。
【００６６】
以上、非接触型ＩＣカードを例として本発明を説明したが、本発明はこれに限らず、接触型のＩＣカード、磁気カード、その他のカードにも適用できる。
【図１】
2011002877.tif 000020
【図２】
2011002877.tif 000021
【図３】
2011002877.tif 000022
【図４】
2011002877.tif 000023
【図５】
2011002877.tif 000024
【図６】
2011002877.tif 000025